【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
映像信号を符号化して、動画像データストリームを生成し、これを複数の配信用セッションを介してストリーミング配信する画像処理装置であって、
動画像データストリームの符号量に基づき復号機の入力バッファの使用量を仮想的に算出し、前記入力バッファの使用量に基づき割り当て可能な符号量をピクチャ毎に算出し、最大の割り当て符号量に基づきピクチャに対する割り当て符号量を定める符号量制御手段と、
前記符号量制御手段が定める割り当て符号量を、nフレーム以内に少なくとも１枚以上の画面内符号化映像が生成可能になるよう補正する、符号量補正手段と、
前記補正された符号量に基づきピクチャ毎に、画面内符号化映像または画面間予測符号化映像のいずれか一方を選んで符号化を行い、動画像データストリームを生成する符号化手段と、
前記符号化手段が生成した動画像データストリームを配信する配信セッション数を検知するとともに、検知したセッションに対して前記動画像データストリームを配信する配信手段とを有し、
前記配信手段による配信セッション数の変化に伴い、前記符号量補正手段の補正の量を変更するとともに、セッション数が増加する場合、前記符号化手段は前記セッション数の増加のタイミングから、nフレーム以内に少なくとも１枚以上の画面内符号化映像を生成することを特徴とする画像処理装置。
【請求項２】
配信セッション数が０から１へ変化した後、前記入力バッファの使用量が所定の量を上まわることを条件に前記符号量補正手段は符号量の制御を開始することを特徴とする請求項１に記載の画像処理装置。
【請求項３】
映像信号を符号化して１つの動画像データストリームを生成し、これを複数の配信用セッションを介してストリーミング配信する画像処理装置であって、
動画像データストリームの符号量に基づき復号機の入力バッファの使用量を仮想的に算出し、前記使用量に基づき割り当て可能な最大の符号量をピクチャ毎に算出し、当該最大の割り当て符号量に基づきピクチャに対する割り当て符号量を定める符号量制御手段と、
前記符号量制御手段が定める割り当て符号量を補正する、符号量補正手段と、
前記補正された符号量に基づきピクチャ毎に、画面内符号化映像または画面間予測符号化映像のいずれか一方を選んで符号化を行い、動画像データストリームを生成する符号化手段と、
前記符号化手段が生成した動画像データストリームを配信する配信セッション数を検知するとともに、検知したセッションに対して前記動画像データストリームを配信する配信手段とを有し、
前記配信手段による配信セッション数の増加を検知した後、mフレーム分の符号化には、前記符号量補正手段による符号量の補正を行い、前記mフレームを符号化した後、画面内符号化で符号化映像を生成すると共に、前記符号量補正手段による補正を解除することを特徴とする画像処理装置。
【請求項４】
前記符号化手段は、前記mフレーム以内に、前記入力バッファの使用量が所定値を上回った場合に、画面内符号化で符号化映像を生成すると共に、前記符号量補正手段にとる補正を解除することを特徴とする請求項３に記載の画像処理装置。
【請求項５】
映像信号を符号化して、動画像データストリームを生成し、これを複数の配信用セッションを介してストリーミング配信する画像処理装置の制御方法であって、
動画像データストリームの符号量に基づき復号機の入力バッファの使用量を仮想的に算出し、前記入力バッファの使用量に基づき割り当て可能な符号量をピクチャ毎に算出し、最大の割り当て符号量に基づきピクチャに対する割り当て符号量を定める符号量制御工程と、
前記符号量制御工程が定める割り当て符号量を、nフレーム以内に少なくとも１枚以上の画面内符号化映像が生成可能になるよう補正する、符号量補正工程と、
前記補正された符号量に基づきピクチャ毎に、画面内符号化映像または画面間予測符号化映像のいずれか一方を選んで符号化を行い、動画像データストリームを生成する符号化工程と、
前記符号化工程が生成した動画像データストリームを配信する配信セッション数を検知するとともに、検知したセッションに対して前記動画像データストリームを配信する配信工程とを有し、
前記配信工程による配信セッション数の変化に伴い、前記符号量補正工程の補正の量を変更するとともに、セッション数が増加する場合、前記符号化工程は前記セッション数の増加のタイミングから、nフレーム以内に少なくとも１枚以上の画面内符号化映像を生成することを特徴とする画像処理装置の制御方法。
【請求項６】
配信セッション数が０から１へ変化した後、前記入力バッファの使用量が所定の量を上まわることを条件に前記符号量補正工程は符号量の制御を開始することを特徴とする請求項５に記載の画像処理装置の制御方法。
【請求項７】
映像信号を符号化して動画像データストリームを生成し、これを複数の配信用セッションを介してストリーミング配信する画像処理装置の制御方法であって、
動画像データストリームの符号量に基づき復号機の入力バッファの使用量を仮想的に算出し、前記使用量に基づき割り当て可能な最大の符号量をピクチャ毎に算出し、当該最大の割り当て符号量に基づきピクチャに対する割り当て符号量を定める符号量制御工程と、
前記符号量制御工程が定める割り当て符号量を補正する、符号量補正工程と、
前記補正された符号量に基づきピクチャ毎に、画面内符号化映像または画面間予測符号化映像のいずれか一方を選んで符号化を行い、動画像データストリームを生成する符号化工程と、
前記符号化工程が生成した動画像データストリームを配信する配信セッション数を検知するとともに、検知したセッションに対して前記動画像データストリームを配信する配信工程とを有し、
前記配信工程による配信セッション数の増加を検知した後、mフレーム分の符号化には、前記符号量補正工程による符号量の補正を行い、前記mフレームを符号化した後、画面内符号化で符号化映像を生成すると共に、前記符号量補正工程による補正を解除することを特徴とする画像処理装置の制御方法。
【請求項８】
前記符号化工程は、前記mフレーム以内に、前記入力バッファの使用量が所定値を上回った場合に、画面内符号化で符号化映像を生成すると共に、前記符号量補正工程にとる補正を解除することを特徴とする請求項７に記載の画像処理装置の制御方法。
【請求項９】
コンピュータに読み込ませ実行させることで、前記コンピュータに請求項５乃至８のいずれか１項に記載の方法の各工程を実行させるためのプログラム。
【請求項１０】
画像配信システムであって、
取得した映像信号を画面内符号化方式及び画面間予測符号化方式を用いて符号化した動画データを生成する符号化手段と、
前記符号化手段によって生成された動画データをネットワークを介して配信する配信手段とを有し、
前記符号化手段は、所定の数のフレームを含む期間における発生符号量が所定の閾値を上回らないように発生符号量を制御し、
前記符号化手段は、前記配信手段のセッション数が増加したことに応じて、画面内符号化方式で前記取得した映像信号を符号化するとともに、所定の閾値を増加させることを特徴とする画像配信システム。
【請求項１１】
画像配信システムであって、
取得した映像信号を画面内符号化方式及び画面間予測符号化方式を用いて符号化した動画データを生成する符号化手段と、
前記符号化手段によって生成された動画データをネットワークを介して配信する配信手段とを有し、
前記符号化手段は、復号機の入力バッファの使用量を仮想的に算出し、符号化した動画データの符号量に基づいて、前記復号機の入力バッファの使用量が所定の閾値を下まわらないように発生符号量を制御し、
前記符号化手段は、前記配信手段のセッション数が増加したことに応じて、画面内符号化方式で前記取得した映像信号を符号化するとともに、前記所定の閾値を低下させることを特徴とする画像配信システム。
【手続補正２】
【補正対象書類名】明細書
【補正対象項目名】０００９
【補正方法】変更
【補正の内容】
【０００９】
この課題を解決するため、例えば本発明の画像処理装置は以下の構成を備える。すなわち、
映像信号を符号化して、動画像データストリームを生成し、これを複数の配信用セッションを介してストリーミング配信する画像処理装置であって、
動画像データストリームの符号量に基づき復号機の入力バッファの使用量を仮想的に算出し、前記入力バッファの使用量に基づき割り当て可能な符号量をピクチャ毎に算出し、最大の割り当て符号量に基づきピクチャに対する割り当て符号量を定める符号量制御手段と、
前記符号量制御手段が定める割り当て符号量を、nフレーム以内に少なくとも１枚以上の画面内符号化映像が生成可能になるよう補正する、符号量補正手段と、
前記補正された符号量に基づきピクチャ毎に、画面内符号化映像または画面間予測符号化映像のいずれか一方を選んで符号化を行い、動画像データストリームを生成する符号化手段と、
前記符号化手段が生成した動画像データストリームを配信する配信セッション数を検知するとともに、検知したセッションに対して前記動画像データストリームを配信する配信手段とを有し、
前記配信手段による配信セッション数の変化に伴い、前記符号量補正手段の補正の量を変更するとともに、セッション数が増加する場合、前記符号化手段は前記セッション数の増加のタイミングから、nフレーム以内に少なくとも１枚以上の画面内符号化映像を生成することを特徴とする。